(57)【要約】【課題】  アクセス権限プロテクト形式によるコンテンツにアクセスするのに必要なアクセス権限を取得する方法に関する指示である、好ましくはデータコンテンツのプレビューを有する特定のデータファイルコンテンツのダウンロードを効果的に行う技術を提供することである。【解決手段】  アクセス権限プロテクトされたデジタルコンテンツへのアクセス権限を装置に提供する方法であって、前記アクセス権限プロテクトされたデジタルコンテンツを有し、さらに前記アクセス権限プロテクトされたデジタルコンテンツへのアクセス権限を取得する方法を示す再生可能な指示と、前記アクセス権限プロテクトされたデジタルコンテンツとを有するファイルを前記装置に送信するステップと、前記再生可能な指示を再生するステップと、コンテンツ所有者から前記アクセス権限プロテクトされたデジタルコンテンツへのアクセス権限を要求するステップと、前記アクセス権限を受信するステップとを有する方法により解決される。【選択図】  図４
2008130096.tif 000002
【特許請求の範囲】
【請求項１】
アクセス権限プロテクトされたデジタルコンテンツへのアクセス権限を装置に提供する方法であって、
前記アクセス権限プロテクトされたデジタルコンテンツを有し、さらに前記アクセス権限プロテクトされたデジタルコンテンツへのアクセス権限を取得する方法を示す再生可能な指示と、前記アクセス権限プロテクトされたデジタルコンテンツとを有するファイルを前記装置に送信するステップと、
前記再生可能な指示を再生するステップと、
コンテンツ所有者から前記アクセス権限プロテクトされたデジタルコンテンツへのアクセス権限を要求するステップと、
前記アクセス権限を受信するステップと、
を有する方法。
【請求項２】
前記ファイルはさらに、再生可能なプレビューを有し、
前記再生するステップはさらに、前記再生可能なプレビューを再生する、請求項１記載の方法。
【請求項３】
前記送信するステップは、前記コンテンツ所有者が前記ファイルを前記装置にプッシュすることにより実行される、請求項１記載の方法。
【請求項４】
前記送信するステップは、前記装置が前記ファイルをダウンロードすることにより実行される、請求項１記載の方法。
【請求項５】
前記要求するステップは、
前記アクセス権限の購入を認証するのに必要な支払情報と、前記アクセス権限プロテクトされたデジタルコンテンツのアイデンティティと、前記装置のアイデンティティとを課金サーバに送信するステップと、
前記課金サーバによって、前記アクセス権限の購入を認証するのに必要な支払情報を処理するステップと、
前記課金サーバから前記コンテンツサーバに、前記アクセス権限プロテクトされたデジタルコンテンツのアイデンティティと前記装置のアイデンティティとを送信するステップと、
前記コンテンツサーバによって前記アクセス権限を準備するステップと、
前記コンテンツサーバから前記装置に前記アクセス権限を送信するステップと、
を有する、請求項１記載の方法。
【請求項６】
アクセス権限プロテクトされたデジタルコンテンツへのアクセス権限を取得する装置であって、
前記アクセス権限プロテクトされたデジタルコンテンツへのアクセス権限を取得する方法を示す再生可能な指示と、前記アクセス権限プロテクトされたデジタルコンテンツとを有するファイルを受信するよう構成される通信ユニットと、
前記ファイルを格納するよう構成されるメモリと、
前記再生可能な指示を再生するよう構成されるプレーヤーと、
前記アクセス権限プロテクトされたデジタルコンテンツへのアクセス権限を取得するユーザ指示を受信し、コンテンツ所有者から前記アクセス権限プロテクトされたデジタルコンテンツへのアクセス権限を要求し、前記アクセス権限を受信するよう構成されるアプリケーションと、
を有する装置。
【請求項７】
新たなファイルが受信されたとき、前記ユーザに通知するよう構成される通知ユニットをさらに有する、請求項６記載の装置。
【請求項８】
前記プレーヤーはさらに、前記ファイルに構成される再生可能なプレビューを再生するよう構成される、請求項６記載の装置。
【請求項９】
アクセス権限プロテクトされたデジタルコンテンツを有するデジタルファイルであって、
前記アクセス権限プロテクトされたデジタルコンテンツへのアクセス権限を取得する方法を示す再生可能な指示を有する部分と、
一意的なロケーションコードと、
前記アクセス権限プロテクトされたデジタルコンテンツのアイデンティティと、
を有するデジタルファイル。
【請求項１０】
再生可能なプレビュー部分をさらに有する、請求項９記載のデジタルファイル。
【発明の詳細な説明】
【技術分野】
【０００１】
本発明は、一般にデジタルコンテンツ配信に関し、より詳細にはデジタルコンテンツへのアクセス権限の配布／取得に関する。
【背景技術】
【０００２】
本セクションは、以下に記載及び／請求される本発明の各種特徴に関連する技術の様々な側面を読者に紹介するためのものである。この説明は、本発明の各種特徴のより良い理解を促進するため、読者に背景技術を提供するのに有用であると考えられる。従って、これらの記載はこの観点から参照されるべきであり、従来技術であると認めるものでないことが理解されるべきである。
【０００３】
特にピア・ツー・ピア（Ｐ２Ｐ）技術を利用したインターネットを介したマルチメディアコンテンツの配信は、大きな現象となっている。このようなネットワークでは、ユーザが映画や音楽などのコンテンツを通常は無料でネットワークの他のユーザに提供することが一般的である。このようなコンテンツは、例えば、ＤＶＤから複製されたものであるかもしれない。このため、Ｐ２Ｐネットワークは写真などをやりとりするための有用なツールである一方、それらはまた著作権管理された物の未許可の分散を可能にすることは理解されるであろう。
【０００４】
当然ながら、Ｐ２Ｐネットワークにおけるこのような物をダウンロードする阻害し、又は少なくとも断念させる方法について多くのアイデアがある。このようなアイデアの１つは、“Ｐ２Ｐポリューション（ｐｏｌｌｕｔｉｏｎ）”であり、これは、映画スタジオなどのコンテンツ所有者がおとり、すなわち、一見すると真正の映画のように見えるが、誰かがこの映画をダウンロードすると、再生不可であることがわかるファイルを提供することによって、Ｐ２Ｐネットワークを飽和させようとすることを意味する。映画全体をダウンロードするにはかなりの時間を要するため、ピアがその労力にうんざりし、止めようとすることが期待される。Ｐ２Ｐポリューション手段については、ＵＳ２００３−０１９５８５２、ＷＯ２００６／１５１６８、ＵＳ２００４−０２５０１０６、ＵＳ２００４−２５０１０６、ＷＯ２００６／０４１７４２及びＪ．Ｌｉａｎｇ，Ｒ．Ｋｕｍａｒ，Ｙ．Ｘｉ及びＫ．Ｗ．Ｒｏｓｓによる“Ｐｕｌｌｕｔｉｏｎ  ｉｎ  Ｐ２Ｐ  ｆｉｌｅ  ｓｈａｒｉｎｇ  ｓｙｓｔｅｍｓ”（Ｐｒｏｃｅｅｄｉｎｇｓ  ＩＥＥＥ  Ｉｎｆｏｃｏｍ  ２００５（ＩＥＥＥ  Ｃａｔ．Ｎｏ．０５ＣＨ３７６４５），Ｐｔ．ｖｏｌ．２，ｐｐ．１１７４−１１８５  ｖｏｌ．２；ＩＳＢＮ０７８０３８９６８９）に記載されている。
【０００５】
しかしながら、上記手段は、ピアが通常はある金額と引き換えに真の映画へのアクセス権限を取得する手段を提供しない。
【０００６】
例えば、携帯電話などの同様の技術領域でも、アクセス権限がプロテクトされたデジタルコンテンツへのアクセスを効率的に提供する方法について同様の問題が存在する。モバイル通信の急速な進展によって、携帯電話はすでにライブテレビを表示し始めており、また近い将来にモバイル通信機能を取得すると考えられる携帯ビデオプレーヤーも存在する。
【０００７】
現在、携帯電話におけるテレビのための伝送帯域幅は限られたものであり、このようにしてテレビを視聴することはコストがかかる。他方、携帯電話ユーザが楽曲を購入し、それを携帯電話にダウンロードすることはすでに可能となっている。これらの手段は、上映用フィルムなどの場合にはあまり適しておらず、フィルムの品質（特に解像度）が低いか、フィルムをダウンロードするのに大変時間が要することとなる。
【特許文献１】ＵＳ２００３／０１４６５５
【特許文献２】ＥＰ１６９３７３１
【特許文献３】ＷＯ０３／０９６１３６
【特許文献４】ＷＯ２００６／０１５１６８
【発明の開示】
【発明が解決しようとする課題】
【０００８】
本発明は、従来技術の上記問題を解決する手段を提供することである。
【課題を解決するための手段】
【０００９】
本発明の第１の特徴では、アクセス権限プロテクトされたデジタルコンテンツへのアクセス権限を装置に提供する方法であって、前記アクセス権限プロテクトされたデジタルコンテンツを有し、さらに前記アクセス権限プロテクトされたデジタルコンテンツへのアクセス権限を取得する方法を示す再生可能な指示と、前記アクセス権限プロテクトされたデジタルコンテンツとを有するファイルを前記装置に送信するステップと、前記再生可能な指示を再生するステップと、コンテンツ所有者から前記アクセス権限プロテクトされたデジタルコンテンツへのアクセス権限を要求するステップと、前記アクセス権限を受信するステップとを有する方法が提供される。
【００１０】
好適な実施例では、前記ファイルはさらに、再生可能なプレビューを有し、前記再生するステップはさらに、前記再生可能なプレビューを再生する。
【００１１】
好適な実施例では、前記送信するステップは、前記コンテンツ所有者が前記ファイルを前記装置にプッシュすることにより実行される。
【００１２】
さらに好適な実施例では、前記送信するステップは、前記装置が前記ファイルをダウンロードすることにより実行される。
【００１３】
さらに好適な実施例では、前記要求するステップは、前記アクセス権限の購入を認証するのに必要な支払情報と、前記アクセス権限プロテクトされたデジタルコンテンツのアイデンティティと、前記装置のアイデンティティとを課金サーバに送信するステップと、前記課金サーバによって、前記アクセス権限の購入を認証するのに必要な支払情報を処理するステップと、前記課金サーバから前記コンテンツサーバに、前記アクセス権限プロテクトされたデジタルコンテンツのアイデンティティと前記装置のアイデンティティとを送信するステップと、前記コンテンツサーバによって前記アクセス権限を準備するステップと、前記コンテンツサーバから前記装置に前記アクセス権限を送信するステップと、
を有する。
【００１４】
本発明の第２の特徴によると、アクセス権限プロテクトされたデジタルコンテンツへのアクセス権限を取得する装置であって、前記アクセス権限プロテクトされたデジタルコンテンツへのアクセス権限を取得する方法を示す再生可能な指示と、前記アクセス権限プロテクトされたデジタルコンテンツとを有するファイルを受信するよう構成される通信ユニットと、前記ファイルを格納するよう構成されるメモリと、前記再生可能な指示を再生するよう構成されるプレーヤーと、前記アクセス権限プロテクトされたデジタルコンテンツへのアクセス権限を取得するユーザ指示を受信し、コンテンツ所有者から前記アクセス権限プロテクトされたデジタルコンテンツへのアクセス権限を要求し、前記アクセス権限を受信するよう構成されるアプリケーションとを有する装置が提供される。
【００１５】
好適な実施例では、新たなファイルが受信されたとき、前記ユーザに通知するよう構成される通知ユニットをさらに有する。
【００１６】
さらに好適な実施例では、前記プレーヤーはさらに、前記ファイルに構成される再生可能なプレビューを再生するよう構成される。
【００１７】
本発明の第３の特徴によると、アクセス権限プロテクトされたデジタルコンテンツを有するデジタルファイルであって、前記アクセス権限プロテクトされたデジタルコンテンツへのアクセス権限を取得する方法を示す再生可能な指示を有する部分と、一意的なロケーションコードと、前記アクセス権限プロテクトされたデジタルコンテンツのアイデンティティとを有するデジタルファイルが提供される。
【００１８】
好適な実施例では、再生可能なプレビュー部分をさらに有する。
【発明の効果】
【００１９】
本発明によると、従来技術の上記問題を解決する手段を提供することが可能となる。
【発明を実施するための最良の形態】
【００２０】
本発明の一般的アイデアは、スクランブル化形式により、すなわち、アクセス権限プロテクト形式によるコンテンツにアクセスするのに必要なアクセス権限を取得する方法に関する指示である、好ましくはデータコンテンツのプレビューを有する特定のデータファイルコンテンツのダウンロードに関するものである。
【００２１】
図１は、インターネットなどのネットワーク１２０と、映画スタジオなどのコンテンツ所有者の装置１３０と共にリンクした複数のピア１１０を有する一例となるピア・ツー・ピアネットワーク１００を示す。装置１３０は、これら複数のピア１１０に対して１つのピアとして動作する。ピア１１０及び装置１３０は、例えば、何れのピアが何れのコンテンツを格納しているか追跡するファイル共有サーバ１５０を介し、周知のファイル共有技術を利用してネットワーク１００のピア１１０に利用可能にされた映画などのコンテンツ１４０、１４２、１４４を格納している。しかしながら、あるＰ２Ｐネットワークは、ファイル共有サーバが存在しない完全に分散化されたものであることに留意すべきである。
【００２２】
本例では、コンテンツにアクセスすることを所望するピア１１０は、まず何れのピア１１０が所望するコンテンツを有しているか確認するため、ファイル共有サーバ１５０にアクセスし、その後、当該ピア１１０からコンテンツをダウンロードする手続を開始する。これに対抗するため、上述したように、一部のコンテンツ所有者は、ネットワーク１００に大きなトラフィックを生じさせるＰ２Ｐポリューションを使用する。
【００２３】
図２に示されるように、本発明は、新たなタイプのおとりを提供する点で、Ｐ２Ｐポリューション技術を向上させる。この新たなおとり２００は、例えば、映画の名前を想起させる名前と、おとりが通常再生されることを示唆する“ｍｐｇ”などのファイルタイプとを有することによって、真正コンテンツを提供するピアであることを装う装置１３０で使用される。
【００２４】
しかしながら、この新たなおとり２００は、最新のおとりとしてダウンロードを実行するピアによって使用不可ではない。新たなおとり２００は、第１のアクセス可能（すなわち、再生可能）部分２１０、第２のアクセス可能部分２１２、以下で詳述されるようなアプリケーションにより利用可能な部分２１４、及びプロテクトされた部分２１６を有するデータファイルである。第１アクセス可能部分２１０は、例えば、プロテクト部分２１６の映画のプレビュー又は最初の数分間であるかもしれない。第２アクセス可能部分２１２は、コンテンツ全体（場合によっては、コンテンツの残り）を有するプロテクト部分２１６をロック解除する方法、すなわち、アクセス権限がプロテクトされたデジタルコンテンツ２１６への必要なアクセス権限を取得する方法に関する命令を有する。しかしながら、再生可能なプレビュー２１０なしで実行し、例えば、「Ｈａｒｏｌｄ  ａｎｄ  Ｍａｕｄｅ“という映画にアクセスするために必要なスクランブル解除キーを取得するため、以下の通りにしてください」など、再生可能な指示２１２によりプロテクトされたデジタルコンテンツ２１６のアイデンティティを単に提供することが可能であることに留意すべきである。
【００２５】
当然ながら、新たなおとり２００の名前がそのコンテンツに対応することが効果的である。また、新たなおとり２００のサイズがユーザにより期待されるサイズに少なくともほぼ一致することが効果的である。当該サイズは、圧縮係数などの映画の長さとは別の多くの要因に依存する。
【００２６】
新たなおとり２００をピア１１０にダウンロードした後、ユーザは通常は早晩それを再生する。ユーザが始めからスタートする場合、第１アクセス可能部分２１０はコンテンツプレーヤーによって再生され、ユーザが再生を中断しない場合、第２アクセス可能部分２１２に続き、プロテクト部分２１６にアクセスする方法に関する指示を提供する。
【００２７】
好適な実施例では、ユーザは本例と同様に、装置１３０により必ずしも提供される必要がないアプリケーション１６０をダウンロード及び起動するよう指示される。実行時、アプリケーション１６０は、例えば、ユーザからクレジットカード情報を取得し、当該情報とプロテクト部分２１６のアイデンティティを提供することによって、ＭＰＥＧプレーヤーなどの当該分野において知られている一意的なロケーションコードを有するアプリケーション使用可能部分２１４にあるプロテクト部分２１６にアクセスするための課金処理を行う。この一意的なロケーションコードは、再生可能部分２１０、２１２がどこで終了し、アプリケーション使用可能部分２１４がどこで始まるかアプリケーション２１６が認識することを可能にし、さらに、アプリケーションがプロテクト部分のアイデンティティを検出し、プロテクト部分がどこから始まるか知る（これがアイデンティティに従うとき）ことを可能にする。この一意的なロケーションコードは、例えば、図２における“＄＄ＢＥＧＩＮＮＩＮＧ  ＯＦ  ＥＮＣＲＹＰＴＥＤ  ＨＥＡＤＥＲ＄＄”などのスタートコードであってもよく、又はスタートアドレスが（ｆｉｌｅ＿ｓｉｚｅ−ｂａｃｋ＿ｐｏｉｎｔｅｒ）であるファイルのＥＮＤ前の数バイトにあるバックポインタであるかもしれない。後者の場合、アプリケーション使用可能部分は、好ましくは、図２の２１４により示される場所にあるコンテンツアイデンティティとエンドにあるバックポインタの２つの部分に分割される。
【００２８】
図３は、本発明が利用可能なさらなる環境３００を示す。好ましくはモバイルであるプレーヤー３１０は、好ましくは少なくとも部分的に無線であるネットワーク３２０に接続される。プレーヤー３１０は、例えば、ＧＳＭなどのモバイル通信ネットワークに接続されてもよい。当該環境はさらに、コンテンツ３４０と当該コンテンツにアクセスするのに必要な少なくとも１つの解読キー３６０とを格納するコンテンツ所有者３３０と、課金サーバ３５０とを有する。
【００２９】
図４は、図３の環境３００に使用される本発明による方法の好適な実施例を示すフローチャートである。本方法は、コンテンツ所有者がコンテンツサーバ３３０を使用して、コンテンツ所有者がネットワーク運営者であるかもしれないということに留意すべきであるが、おそらくプレーヤーが接続されるネットワークを運営するネットワーク運営者（図示せず）を介し、プレーヤー３１０にコンテンツ３４０をプッシュする（４２０）際に開始される。ユーザに新たなコンテンツがプレーヤー３１０上で利用可能であることを通知するメッセージを、コンテンツ所有者がプレーヤー３１０に送信するかもしれないが、好ましくは、プレーヤー３１０自ら受信するコンテンツ３４０を追跡し、利用可能な新たなコンテンツ３４０をユーザに通知する（４０４）よう構成される。コンテンツ３４０は、好ましくは、図２に示されるおとり２００の各要素、すなわち、再生可能プレビュー２１０、再生可能指示２１２（コンテンツへのアクセス料金などを含む）、さらに後述されるようなアプリケーションにより利用可能な部分２１４及びアクセス権限プロテクトされたコンテンツ２１６を有する。
【００３０】
その後、ユーザはプレーヤー３１０にコンテンツ３４０のプレビューとそれに対する支払指示を表示する（４０６）よう命令するかもしれない。プレーヤー３１０がアプリケーション使用可能部分２１４にアクセスし、コンテンツ３４０に対する支払を実行するのに必要な機能を実現しない場合、例えば、プレーヤー３１０はコンテンツサーバ３３０からアプリケーション３６０をダウンロードし、インストール及び実行する必要がある。しかしながら、本実施例では、プレーヤー３１０は、アプリケーションをダウンロード及びインストールする必要なく実行可能となるように（４０８）、必要なアプリケーションをすでに格納していると仮定される。その後、ユーザは、支払を決めたコンテンツを選択する（４１０）。アプリケーションは、コンテンツ３４０のアイデンティティ（Ｃｏｎｔｅｎｔ＿ＩＤ）を取得するため、アプリケーション使用可能部分２１４にアクセスし、クレジットカード情報（ＣＣ＿ｉｎｆｏ）などの支払に必要な情報を取得する。当該情報及びプレーヤー３１０のアイデンティティ（Ｐｌａｙｅｒ＿ＩＤ）が、アプリケーション使用可能部分２１４に格納されているコンテンツ課金アイデンティティを使用する適切なエンティティ、本例では、リクエストを処理し（４１３）、支払が承認された場合、コンテンツアイデンティティ（Ｃｏｎｔｅｎｔ＿ＩＤ）とプレーヤーアイデンティティ（Ｐｌａｙｅｒ＿ＩＤ）とを有するアクセス認証メッセージをコンテンツサーバ３３０に送信する課金サーバ３５０に送信される（４１２）。
【００３１】
アクセス認証メッセージを受信すると、コンテンツ所有者３３０は、プロテクトされたコンテンツ２１６にアクセスするのに必要な少なくとも１つのキー（Ｋｅｙ）を抽出及び解読する（４１６）。この少なくとも１つのキー（Ｋｅｙ）は、好ましくは、従来技術において周知なように、例えば、プレーヤーの公開キー又はプレーヤーのアイデンティティ（Ｐｌａｙｅｒ＿ＩＤ）に基づくキーによる暗号化によって、暗号化される。コンテンツ所有者３３０は、暗号化された少なくとも１つのキー（Ｋｅｙ）とコンテンツのアイデンティティ（Ｃｏｎｔｅｎｔ＿ＩＤ）を、プロテクトされたコンテンツ２１６を再生する（４２２）のに利用可能となるように、少なくとも１つのキー３６０を抽出する（４２０）プレーヤー３１０に送信する。アプリケーションはさらに、“クリーン”ファイル、すなわち、プロテクトされたコンテンツ２１６が少なくとも１つのキーを使用することにより直接再生可能なファイルを取得するため、プレビュー２１０、支払命令２１２及びアプリケーション使用可能部分を削除するためにコンテンツ４０２をさらに処理するようにしてもよい。
【００３２】
図５は、本発明による装置５００の実施例を示す。装置５００は、コンテンツ所有者などの他の装置と通信し、上述したようなデジタルコンテンツを有するファイル２００を受信するよう構成される通信ユニット（Ｉ／Ｏ）５１０を有する。装置５００はさらに、ファイル２００を格納するよう構成されるメモリ５２０と、ファイル２００のプレビュー部分２１０などのデジタルコンテンツを再生するプレーヤー５３０とを有し、デジタルコンテンツは、装置５００に一体化された又は外部のディスプレイなどのレンダリング装置５７０を介しユーザにアクセス可能とされる。装置５００はまた、ユーザインタフェース５６０を介しユーザ入力を受信し、アクセス権限を要求し（４１２）、受信したキーを抽出し、プレーヤー５３０に提供するよう構成されるアプリケーション５４０を有する。さらに、装置５００はさらに、新たなデジタルコンテンツが受信され、再生準備が完了したことをユーザに通知するよう構成される通知ユニット５５０を有する。
【００３３】
上記実施例、明細書及び図面は、本発明の構成の生産及び使用の完全な記載を提供する。本発明の多くの実施例が本発明の趣旨及び範囲から逸脱することなく可能であるため、本発明は、添付した請求項に規定される。
【図面の簡単な説明】
【００３４】
【図１】図１は、本発明によるデジタルコンテンツ配信のための一例となるピア・ツー・ピアネットワークを示す。
【図２】図２は、本発明による一例となるデータファイルを示す。
【図３】図３は、本発明によるデジタルコンテンツ配信のためのさらなる環境を示す。
【図４】図４は、本発明によるデジタルコンテンツ配信方法の好適な実施例を示すフローチャートである。
【図５】図５は、本発明による装置の実施例を示す。
【符号の説明】
【００３５】
１２０  ネットワーク
１１０  ピア
１３０  コンテンツ所有者装置
１５０  ファイル共有サーバ
３３０  コンテンツサーバ
３５０  課金サーバ
【図１】
2008130096.tif 000003
【図２】
2008130096.tif 000004
【図３】
2008130096.tif 000005
【図４】
2008130096.tif 000006
【図５】
2008130096.tif 000007